【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】
圧電光リレー（100）であって、
圧電素子（180）と、
第一及び第二の面を有し、その第一の面が前記圧電素子（180）に当接するダイヤフラム（170）と、
入口ポイント（142）、第一の出口ポイント（144）、第二の出口ポイント（146）及び分岐ポイントからなる光路（140）であって、前記分岐ポイントが前記光路内にノッチ（190）を含む、光路（140）と、及び
前記第二の面に固定された光学素子（160）とからなり、
前記光学素子（160）が前記ノッチ（190）へと移動可能である、圧電光リレー（100）。
【請求項２】
チャンバ（150）を更に含み、前記圧電素子（180）、前記ダイヤフラム（170）、前記光学素子（160）及び前記分岐ポイントが、前記チャンバ（150）と共にある、請求項１に記載の圧電光リレー（100）。
【請求項３】
前記チャンバ（150）が、第一及び第二の突出部（152、154）を含み、前記ダイヤフラム（170）が、前記第一の突出部と第二の突出部との間に延びており、前記ダイヤフラム（170）が、前記第一及び第二の突出部（152、154）に固定されている、請求項２に記載の圧電光リレー（100）。
【請求項４】
前記第一及び第二の突出部（152、154）が、前記光路（140）に面するように配置されている、請求項３に記載の圧電光リレー（100）。
【請求項５】
前記圧電素子（180）が、ベンディングモードの圧電素子である、請求項４に記載の圧電光リレー（100）。
【請求項６】
前記圧電素子（180）が、前記ダイヤフラム（170）に貼り合わせられている、請求項５に記載の圧電光リレー（100）。
【請求項７】
前記光学素子（160）が、三角形である、請求項６に記載の圧電光リレー（100）。
【請求項８】
前記光学素子（160）は、屈折率が前記光路（140）に実質的に一致するような物質でコーティングされている、請求項７に記載の圧電光リレー（100）。
【請求項９】
前記物質が、金属酸化物、半導体酸化物、金属窒化物、半導体窒化物、又はそれらの組み合わせからなるグループから選択される、請求項８に記載の圧電光リレー（100）。
【請求項１０】
前記物質が、フィルタとして作用する、請求項８に記載の圧電光リレー（100）。
【請求項１１】
前記ダイヤフラム（170）が、ステンレス鋼、真ちゅう、ベリリウム銅、ばね鋼、セラミック、又はポリマーからなるグループから選択される、請求項９に記載の圧電光リレー（100）。
【請求項１２】
第一及び第二の出口経路（144、146）及びノッチ（190）を有する光路（140）、分岐ポイント、光学素子（160）、及びチャンバ（150）からなる光リレー（100）を動作させる方法であって、
前記光学素子（160）を前記ノッチ（190）へと移動させるステップを含む、光リレー（100）を動作させる方法。
【請求項１３】
前記光学素子（160）を前記ノッチ（190）へと移動させるステップが、ダイヤフラム（170）を湾曲させるステップを含み、前記ダイヤフラム（170）が前記光学素子（160）と接触している、請求項１２に記載の光リレー（100）を動作させる方法。
【請求項１４】
前記ダイヤフラム（170）を湾曲させるステップが、圧電素子（180）を歪曲させるステップを含み、前記圧電素子（180）が前記ダイヤフラム（170）と接触している、請求項１３に記載の光リレー（100）を動作させる方法。
【請求項１５】
前記ノッチ（160）が三角形であり、前記ノッチ（160）が、前記光路（140）の屈折率に一致するようにコーティングされている、請求項１４に記載の光リレー（100）を動作させる方法。
【請求項１６】
前記ノッチ（160）が、金属酸化物、半導体酸化物、金属窒化物、半導体窒化物、又はそれらの組み合わせからなるグループから選択された物質でコーティングされている、請求項１５に記載の光リレー（100）を動作させる方法。
【請求項１７】
前記ダイヤフラム（170）が、ステンレス鋼、真ちゅう、ベリリウム銅、ばね鋼、セラミック、又はポリマーからなるグループから選択された材料で構成される、請求項１６に記載の光リレー（100）を動作させる方法。
【請求項１８】
前記圧電素子（180）がベンディングモードの圧電素子である、請求項１７に記載の光リレー（100）を動作させる方法。
【請求項１９】
圧電光リレー（100）であって、
ノッチ（190）と、第一及び第二の信号出力経路（144、146）とを有する光路（140）であって、前記ノッチ（190）は、前記第一及び第二の信号出力経路が合流するポイントに配置される、光路（140）と、
前記ノッチ（190）へと挿入されるように配置された光学素子（160）と、
前記ノッチ（190）とは反対側の前記光学素子（160）の面に当接するダイヤフラム（170）と、
前記光学素子（160）とは反対側の前記ダイヤフラム（170）の面に当接する圧電素子（180）とからなり、
前記光学素子（160）が前記ノッチ（190）へと移動可能である、圧電光リレー（100）。
【請求項２０】
チャンバ（150）を更に含み、前記ノッチ（190）、前記光学素子（160）、前記ダイヤフラム（170）及び前記圧電素子（180）が、前記チャンバ（150）内に配置されている、請求項１９に記載の圧電光リレー（100）。
【請求項２１】
前記ダイヤフラム（170）が、前記チャンバ（150）の側壁に取り付けられている、請求項２０に記載の圧電光リレー（100）。
【請求項２２】
前記チャンバ（150）が、第一及び第二の突出部（152、154）を有する、請求項２１に記載の圧電光リレー（100）。
【請求項２３】
前記ダイヤフラム（170）が、前記第一及び第二の突出部（152、154）に取り付けられている、請求項２２に記載の圧電光リレー（100）。
【請求項２４】
圧電光リレー（100）であって、
上部キャップ層（110）と、
前記上部キャップ層（110）の下に位置する光学層（120）、及び前記光学層（120）の下に位置する下部キャップ層（130）と、
前記光学層（120）が、圧電素子（180）を含むことと、
第一及び第二の面を有し、前記第一の面が前記圧電素子（180）に当接しているダイヤフラム（170）と、
入口ポイント（142）、第一の出口ポート（144）、第二の出口ポート（146）及び分岐ポイントを含む光路（140）であって、前記分岐ポイントが前記光路（140）中にノッチ（190）を含む、光路（140）と、及び
前記ダイヤフラム（170）の前記第二の面に固定された光学素子（160）とからなり、
前記光学素子（160）を前記ノッチ（190）へと移動させることが可能である、圧電光リレー（100）。
【請求項２５】
チャンバ（150）を更に含み、前記圧電素子（180）、前記ダイヤフラム（170）、前記光学素子（160）、及び前記分岐ポイント（150）が、前記チャンバと共にある、請求項２４に記載の圧電光リレー（100）。
【請求項２６】
前記光学素子（160）が、前記ダイヤフラム（170）の湾曲作用によって、前記ノッチ（190）へと移動可能であり、前記ダイヤフラム（170）が、前記圧電素子（180）の拡張によって湾曲する、請求項２５に記載の圧電光リレー（100）。
【請求項２７】
前記圧電素子（180）が、ベンディングモードの圧電素子である、請求項２６に記載の圧電光リレー（100）。
【請求項２８】
前記光学素子（180）は、屈折率が前記光路（140）と実質的に一致するように物質でコーティングされている、請求項２７に記載の圧電光リレー（100）。
【請求項２９】
前記物質が、金属酸化物、半導体酸化物、金属窒化物、半導体窒化物又はそれらの組み合わせからなるグループから選択される、請求項２８に記載の圧電光リレー（100）。
【請求項３０】
前記物質がフィルタとして作用する、請求項２８に記載の圧電光リレー（100）。
【請求項３１】
前記ダイヤフラム（170）が、ステンレス鋼、真ちゅう、ベリリウム銅、ばね鋼、セラミック、又はポリマーからなるグループから選択される、請求項２９に記載の圧電光リレー（100）。